(57)【要約】【課題】グリセリン、脂肪酸エステル類、油脂類、パラフィン類等を用いて紙類の柔軟処理を行う方法は、処理剤を多量に使用しないと柔軟性を付与できなかったり、処理剤が油性成分で構成されるため吸水性を阻害する虞があった。また第４級アンモニウム塩やポリシロキサンを用いて柔軟処理する方法も知られているが、皮膚刺激性のある第４級アンモニウム塩で処理する方法は安全性の面で問題があり、ポリシロキサンで処理する方法では、柔軟性と吸水性を同時に付与することはできないとともに、柔軟性付与効果を高めようとすると紙類の白度を低下させるという問題があった。本発明は、紙類に優れた柔軟性、吸水性を効果的に付与できる紙類処理剤を提供することを目的とする。【解決手段】本発明の紙類処理剤は、三価以上の多価アルコールのポリオキシアルキレン付加体の脂肪酸エステル化合物を必須成分とすることを特徴とする。【選択図】  なし。【特許請求の範囲】
【請求項１】
三価以上の多価アルコールのポリオキシアルキレン付加体の脂肪酸エステル化合物を必須成分とすることを特徴とする紙類処理剤。
【請求項２】
請求項１記載の紙類処理剤により、三価以上の多価アルコールのポリオキシアルキレン付加体の脂肪酸エステル化合物が０．０１〜１０．０重量％含有されるように処理された紙類。
【発明の詳細な説明】
【０００１】
【発明の属する技術分野】
本発明は紙類に柔軟性、吸水性を付与することのできる紙類処理剤及び、その処理剤で処理した紙類に関する。
【０００２】
【従来の技術】
紙や紙製品、特にトイレットペーパーやティッシュペーパー等の家庭用の紙類には適度な柔軟性、吸水性が要求されている。このような要求に応えるため、処理剤によって紙類を処理することが行われており、従来より、グリセリン、脂肪酸エステル類、油脂類、パラフィン類等を用いて処理する方法が知られている。
また第四級アンモニウム塩で処理する方法（特許文献１）、第四級アンモニウム塩とグリセリン、脂肪族アルコールを含む処理剤で処理する方法（特許文献２）、ポリシロキサンで処理する方法（特許文献３）等が知られている。
【０００３】
【特許文献１】
特開昭６３−１６５５９７号公報
【特許文献２】
特開平４−１００９９５号公報
【特許文献３】
特開平３−９００号公報
【０００４】
【発明が解決しようとする課題】
しかしながら、グリセリンを用いて処理する方法では、紙類に十分な柔軟性を付与するために多量のグリセリンを使用する必要があり、処理コストが高くつくという問題があった。また脂肪酸エステル類、油脂類、パラフィン類を用いて処理する方法では、処理剤が油性成分で構成されるために紙類に要求される吸水性を阻害し、手にべたつき感が残り使用者に不快感を与え易いという問題があった。一方、特許文献１、２に記載されている方法は、皮膚刺激性のある第四級アンモニウム塩を用いるため安全性が十分とは言い難かった。また特許文献３に記載されている方法は、柔軟性と吸水性とを同時に付与することは困難であるとともに、柔軟性付与効果の高いアミノ変性型のポリシロキサンを用いた場合には、紙類の白度が低下するという問題があった。
【０００５】
本発明は上記従来の問題に鑑みなされたもので、従来の紙類処理剤の欠点を解決し、紙類に柔軟性、吸水性を効果的に付与できる紙類処理剤及び紙類を提供することを目的とする。
【０００６】
【課題を解決するための手段】
即ち本発明の紙類処理剤は、三価以上の多価アルコールのポリオキシアルキレン付加体の脂肪酸エステル化合物を必須成分とすることを特徴とする。また本発明の紙類は、上記紙類処理剤により、三価以上の多価アルコールのポリオキシアルキレン付加体の脂肪酸エステル化合物が０．０１〜１０．０重量％含有されるように処理されていることを特徴とする。
【０００７】
【発明の実施の形態】
本発明の紙類処理剤における主成分である三価以上の多価アルコールのアルキレンオキシド付加体の脂肪酸エステル化合物は、多価アルコールのアルキレンオキシド付加体と脂肪酸とのエステル化反応等によって得ることができる。三価以上の多価アルコールとしては、グリセリン、ジグリセリン、トリグリセリン、テトラグリセリン、ペンタエリスリトール、グルコース、ショ糖、ソルビトール、キシリトール、マンニット等が挙げられる。これらのうち、グリセリン、ソルビトールが好ましい。多価アルコールは一種のみを用いる場合に限らず、二種以上の混合物として用いることもできる。
【０００８】
多価アルコールのアルキレンオキシド付加体は、上記多価アルコールにアルカリの存在下で、エチレンオキシド、プロピレンオキシド、ブチレンオキシド等のアルキレンオキシドを付加させる等により得ることができる。多価アルコールのアルキレンオキシド付加体は、多価アルコールの全ての水酸基にアルキレンオキシドが付加した構造のものであっても、多価アルコールの水酸基の一部にアルキレンオキシドが付加した構造のものであっても良い。またアルキレンオキシドは１種のみが付加したものでも２種以上が付加したものでも良く、２種以上のアルキレンオキシドが付加した付加体は、ランダム付加体でもブロック付加体でも良い。多価アルコールに付加するアルキレンオキシドとしては、エチレンオキシドが好ましい。多価アルコールに対するアルキレンオキシドの付加重合度は、多価アルコール１モル当たり、１〜１００モルが好ましい。
【０００９】
脂肪酸としては、炭素数１２〜２２の飽和又は不飽和脂肪酸が好適に用いられ、直鎖状脂肪酸でも分岐鎖脂肪酸のいずれであっても良い。脂肪酸は一種又は二種以上を混合して用いることができる。炭素数１２〜２２の脂肪酸のなかでも、ステアリン酸、イソステアリン酸が好ましい。多価アルコールのアルキレンオキシド付加体と脂肪酸とのエステル化触媒としては、ｐ−トルエンスルホン酸ナトリウム、水酸化ナトリウム、水酸化カリウム、ナトリウムアルコラート等が用いられる。
【００１０】
本発明において用いる三価以上の多価アルコールのアルキレンオキシド付加体の脂肪酸エステル化合物は、多価アルコールのアルキレンオキシド付加体の水酸基の一部が脂肪酸とエステル化した構造のものでも、全ての水酸基がエステル化した構造のものでも良いが、分子内に含まれる水酸基の５０％以上がエステル化した構造のものが良好な柔軟性を付与する点で好ましい。
【００１１】
本発明の紙類処理剤は上記エステル化合物を主成分として含有するが、エステル化合物の含有量が５０重量％以上であることが好ましい。また上記エステル化合物の他に、更に必要に応じて他の成分、例えば鉱物油、脂肪酸エステル等の平滑剤、ポリ（オキシエチレン）アルキルエーテル、ポリ（オキシエチレン）脂肪酸エステル等の乳化剤等を配合することもできる。
【００１２】
本発明の紙類処理剤は、上記エステル化合物を水に溶解または分散した水溶液或いは乳化液として使用する。本発明の紙類処理剤により紙類の処理を行う場合、通常、上記エステル化合物を１．０〜５０．０重量％程度含む水溶液、乳化液として使用する。この水溶液、乳化液中には保湿成分（グリセリン、ソルビトールやポリエチレングリコール等の多価アルコール及び糖類）等の他の成分を更に配合することができる。本発明の紙類処理剤により紙類を処理するには、紙類に噴霧器によりスプレーする方法、含浸機により浸漬処理する方法等が挙げられる。本発明の紙類は、上記本発明の処理剤によって処理されたものであって、処理後の紙類中に上記エステル化合物が固形換算量として０．０１〜１０．０重量％含有されているものである。より好ましくは、処理後の紙類中に上記エステル化合物が固形分換算量として０．１〜５．０重量％含有されていることである。上記エステル化合物の含有率が０．０１重量％未満では、紙類に十分な柔軟性が付与されない。また、１０．０重量％を超えるとベタ付き感などにより、かえって紙類の風合い等が悪くなる。
【００１３】
本発明処理剤が処理対象とする紙類とは、ペーパータオル、ティッシュペーパー、トイレットペーパー、フェイシャルティッシュ、ちり紙、ペーパーナプキン、京花紙等が挙げられる。
【００１４】
【実施例】
以下、実施例を挙げて本発明を更に詳細に説明する。実施例の処理剤に使用したエステル化合物は以下の通りである。
【００１５】
エステル化合物ａ：グリセリンエチレンオキシド（２０モル）付加体１．０モル当たり、イソステアリン酸３．０モルの割合でエステル化反応させて得たエステル化合物。
【００１６】
エステル化合物ｂ：グリセリンエチレンオキシド（２４モル）−プロピレンオキシド（２４モル）ブロック付加体１．０モル当たり、ステアリン酸２モルの割合でエステル化反応させて得たエステル化合物。
【００１７】
エステル化合物ｃ：ソルビトールエチレンオキシド（３０モル）付加体１．０モル当たり、イソステアリン酸３モルの割合でエステル化反応させて得たエステル化合物。
【００１８】
エステル化合物ｄ：ソルビトールエチレンオキシド（６０モル）付加体１．０モルあたり、ステアリン酸４モルの割合でエステル化反応させて得たエステル化合物。
【００１９】
実施例１〜１０
上記エステル化合物を用い、エステル化合物の含有率が２０．０重量％（保湿剤としてグリセリンを併用した実施例９及び１０では、グリセリンも含めた含有率が２０．０重量％）となるように、処理剤を水に溶解又は分散させて処理液を調整した。各処理液を柔軟処理を施していないティッシュペーパーに、付着量が表１に示す量（エステル化合物の無水物換算量）となるようにスプレー噴霧処理した後、２４時間風乾させ、その後、更に恒温恒湿室（温度２０℃、湿度６５％ＲＨ）内で１２時間以上放置し、含有水分率が平衡になった後、ティッシュペーパーの柔軟性、吸水性を評価した。結果を未処理のティッシュペーパーの場合とあわせて表１に示す。
【００２０】
処理後のティッシュペーパーの柔軟性、吸水性は以下のようにして評価した。柔軟性
被試験紙を５枚片手で握り、柔軟性の官能性評価を行った。評価基準は以下の５段階とした。
５：非常に柔らかい
４：柔らかい
３：やや柔らかい
２：柔軟剤未使用と同等
１：柔らかくない
【００２１】
吸水性
処理後のティッシュペーパーにスポイトから水滴（イオン交換水）を滴下し、吸水状態を未処理のティッシュペーパーと比較して以下の基準で評価した。
○：未処理のものに比べて吸水性が同程度乃至は良好となる。
×：未処理のものより吸水性が悪くなり、紙本来の吸水性が阻害される。
【００２２】
【表１】
2005009039.tif 000002
【００２３】
比較例１〜１０
表２に示す処理剤主成分の含有率が２０．０重量％（乳化剤を併用した場合には乳化剤も含めた合計の含有率が２０重量％）となるように水に溶解又は分散させて表２に示す処理液を調整した。比較例７〜１０については、表２に示す量の乳化剤として併用し、温水加水法により乳化して処理液を調整した。尚、乳化剤として、比較例７はポリオキシエチレン（１０モル）ステアリルエーテルを、比較例８はポリオキシエチレン（８モル）セチルエーテルを、比較例９及び１０はポリオキシエチレン（３０モル）ラウリルエーテルを使用した。
【００２４】
【表２】
2005009039.tif 000003
【００２５】
各処理液を、柔軟処理を施していないティッシュペーパーに、処理剤主成分付着量（乳化剤を併用した場合には乳化剤も含めた合計の付着量）が、表２に示す値となるように噴霧処理した後、２４時間風乾させ、その後、更に恒温恒湿室（温度２０℃、湿度６５％ＲＨ）内で１２時間以上放置して、含有水分率が平衡になった後、ティッシュペーパーの柔軟性、吸水性を実施例と同様に評価した。これらの結果を表２に示す。
【００２６】
【発明の効果】
以上説明したように本発明の紙類処理剤は、紙類に優れた柔軟性を付与できる。従来の処理剤のように柔軟性を付与しようとすると紙類の吸水性が低下するという問題がなく、本発明の処理剤で処理した紙類は柔軟性．吸水性に優れる効果がある。